(57)【要約】【課題】内箱を引き出して取り出し口が上となるような傾きとなっても取り出し口側にあった菓子を包装容器の最奥部側に移動させず、収納している菓子が取り出し易くなるようにする。【解決手段】外箱９にスライド可能に内箱１１を収納してなる包装容器１の内部に、少なくとも内箱１１の内箱奥部１１ｃ側から取り出し口１０を覆って内箱前部１１ｂに亘るシート１２を配し、そのシート１２には、内箱１１の引き出しに伴なって内箱底部１１ａに向けて凸となるように変形する柔軟な収納物移動規制部１９が設けられ、内箱底部１１ａに向けて凸となるように変形した収納物移動規制部１９の内箱底部１１ａへの近接により収納物移動規制部１９と内箱底部１１ａとの間を狭めて、収納物Ａの内箱スライド方向に沿った移動を規制する狭窄部分２０が形成される構成とした。【選択図】図４
2015151153.tif 000002
【特許請求の範囲】
【請求項１】
天面板と底面板と二面の側面板とが胴部回りに連接されて胴部の縦断面形状を矩形にして、該胴部の一方端に出し入れ口を有する外箱と、前記外箱に出し入れ口を通してスライド可能に収納され、外箱の天面板に対応する上面が開放されているトレイ状の内箱と、前記内箱の内箱底部から出し入れ口側の内箱前部とは反対の内箱奥部を経て内箱の前記上面での出し入れ口側までに配置されているシートとを備える包装容器において、
前記シートにおける内箱の上面に位置する上シート部分の出し入れ口側に折り返し部を設け、該折り返し部を前記天面板での出し入れ口側の内面に固定して、シートと外箱とが連結されていて、
前記上シート部分には、内箱の引き出しに伴なって内箱底部に向けて凸となるように変形する柔軟な収納物移動規制部に設けられ、内箱底部に向けて凸となるように変形した前記収納物移動規制部の内箱底部への近接によりこの収納物移動規制部と内箱底部との間を狭めて、収納物の内箱スライド方向に沿った移動を規制する狭窄部分が形成される構成としたことを特徴とする包装容器。
【請求項２】
上記収納物移動規制手段は、平板状紙の上面に内箱スライド方向に山部と谷部とが交互に並ぶ波板状紙が貼り合わされてなり、
波板状紙の前記山部それぞれは弾性を有していて、変形したときの収納物移動規制手段を平板形状に復元させる方向に抗力が生じる復元手段である請求項１に記載の包装容器。
【請求項３】
上記シートは、上記内箱に入れた収納物から油脂分が内箱と外箱に移るのを抑える耐油性紙からなるものである請求項１に記載の包装容器。
【発明の詳細な説明】
【技術分野】
【０００１】
本発明は、外箱の一方端にある出し入れ口から内箱を引き出して、その引き出しにより開いた内箱の上面の取り出し口からこの内箱に収納された菓子類などを取り出すことができるようにした包装容器に関するものである。
【背景技術】
【０００２】
従来から小形状の菓子を多数個の状態で収納する包装容器としては、コンビニエンスストアなどの陳列販売に適して片手持ちできる大きさであって、平置きの状態で略平板の形態を呈する紙製の容器が多く用いられている。このような包装容器は、平板形状とした紙製の外箱とこの外箱の一面を開放した出し入れ口からスライド可能に収納されてトレイ状とした紙製の内箱とで容器本体を形成している。
【０００３】
さらに、この包装容器に収納する多数個の菓子としては玉形状のものや棒形状のものなど各種あるが、これらの菓子に含まれている油脂分が、上面開放の内箱の底部分や内箱の開放上面に対応する外箱の天面板に移り込んで、包装容器の表面にシミが出易くなる。そして、玉形状の菓子を収納する紙製の包装容器では、前記シミが生じるのを防止するために、内箱の底部分に応じた下敷き部分から内箱の開放上面を覆うカバー部分に連続するシートが用いられている。
【０００４】
上述したように内箱をその上面をシートのカバー部分で覆った状態で外箱に収納した包装容器では、内箱に入れた収納物を取り出すには内箱を引き出してその都度、内箱の上面を覆っているカバー部分をめくる必要がある。特許文献１では、内箱を引き出した時に開放上面を覆っている上記カバー部分を手でめくる手間を省くことができるように、シートの出し入れ口側の端部を外箱の天面板の上面側に折り返してからその天面板に貼り付けるようにしたり、天面板の出し入れ口側で側方に延設された舌片を外箱内方に折り返して、その舌片に前記シートの出し入れ口側の端部を貼り付けるようにした技術が示されている。
【０００５】
特許文献２では同時開封カートが示されている。この特許文献２では、内箱が紙製ではなく開放上面の周囲にフランジを有している合成樹脂製のトレイ状としており、この内箱の開放上面に合成樹脂製のシートを重ねていて、前記フランジにシートの周辺を剥離可能な強度で接着し、そして、内箱の開放上面を覆うシートについては外箱の出し入れ口側に折り返し片があり、外箱の天面板における出し入れ口側の内面に前記折り返し片を接着している技術が示されている。この同時開封カートンでは、内箱の出し入れ口側のフランジを持ってその内箱を引き出すことで、シートが、スライド方向に沿う内箱のフランジに接着されている側辺位置で裂けるようになり、これによって内箱の上面を覆っているシートがめくられるようにしたものである。
【０００６】
特許文献３では同時開封トレイ収納カートンが示されており、特許文献２と同様に、内箱を開放上面の周囲にフランジを有している合成樹脂製のトレイ状とし、この内箱の開放上面に合成樹脂製のシートを重ねていて、前記フランジにシートの周辺を剥離可能な強度で接着している。そして、シートの外箱の出し入れ口側に折り返し片を、外箱の天面板での出し入れ口側の内面や外面に接着している技術が示されている。このカートンでは、内箱の引き出し時にシートとフランジとの接着部分が出し入れ口側から剥離し始めるようになり、これによって内箱の上面を覆っているシートがめくられるようにしたものである。
【先行技術文献】
【特許文献】
【０００７】
【特許文献１】特開２０１３−０１８５２１号公報
【特許文献２】特開平０９−０６６９６８号公報
【特許文献３】特開平１０−１７５６６６号公報
【発明の概要】
【発明が解決しようとする課題】
【０００８】
上述したように、多数個の玉形状とした菓子、例えば木の実をチョコレートでくるんだチョコレート菓子に代表される菓子を十数個程度で収納する包装容器としては、上記平板形状とした紙製の外箱に、紙製とした内箱をスライド可能に収納し、耐油性の紙からなるシートを前記内箱の底部分から内箱の開放上面を覆うように位置させた包装容器が従来から採用されている。この紙製の包装容器は簡易な構造で安価に作成できる容器として多く流通している。
【０００９】
しかし、上記包装容器に転がり易い玉形状にした多数個の菓子を収納した商品を購入した消費者側では、中身の菓子を取り出すときにつぎに述べる不具合がある。即ち、包装容器を手持ちしながら内箱を引き出して、その内箱の開放上面の取り出し口が或る程度開いた状態のときに、包装容器が若干傾斜してその取り出し口が少し上となるような傾きが生じれば、取り出し口の開いた部分に寄っていた菓子が内箱の最奥部分に転がり移動し易い。そして移動してしまうと、開いた取り出し口から菓子が簡単に摘み出すことができず、その都度、開いた取り出し口が下となるように包装容器を傾斜させなければならないものであった。
【００１０】
そこで本発明は上記事情に鑑み、内箱を引き出して取り出し口が上となるような傾きとなってもその開いた取り出し口側にあった菓子が包装箱の最奥部側に移動しないようにすることを課題として、収納している菓子が取り出し易くなるようにした包装容器を提供することを目的とするものである。
【課題を解決するための手段】
【００１１】
（請求項１の発明）
本発明は上記課題を考慮してなされたもので、天面板と底面板と二面の側面板とが胴部回りに連接されて胴部の縦断面形状を矩形にして、該胴部の一方端に出し入れ口を有する外箱と、前記外箱に出し入れ口を通してスライド可能に収納され、外箱の天面板に対応する上面が開放されているトレイ状の内箱と、前記内箱の内箱底部から出し入れ口側の内箱前部とは反対の内箱奥部を経て内箱の前記上面での出し入れ口側までに配置されているシートとを備える包装容器において、
前記シートにおける内箱の上面に位置する上シート部分の出し入れ口側に折り返し部を設け、該折り返し部を前記天面板での出し入れ口側の内面に固定して、シートと外箱とが連結されていて、
前記上シート部分には、内箱の引き出しに伴なって内箱底部に向けて凸となるように変形する柔軟な収納物移動規制部に設けられ、内箱底部に向けて凸となるように変形した前記収納物移動規制部の内箱底部への近接によりこの収納物移動規制部と内箱底部との間を狭めて、収納物の内箱スライド方向に沿った移動を規制する狭窄部分が形成される構成としたことを特徴とする包装容器を提供して、上記課題を解消するものである。
【００１２】
（請求項２の発明）
上記発明において、上記収納物移動規制手段は、平板状紙の上面に内箱スライド方向に山部と谷部とが交互に並ぶ波板状紙が貼り合わされてなり、
波板状紙の前記山部それぞれは弾性を有していて、変形したときの収納物移動規制手段を平板形状に復元させる方向に抗力が生じる復元手段であることが良好である。
【００１３】
（請求項３の発明）
また、上記発明において、上記シートは、上記内箱に入れた収納物から油脂分が内箱と外箱に移るのを抑える耐油性紙からなるものであることが良好である。
【発明の効果】
【００１４】
（請求項１の発明の効果）
請求項１に係る発明によれば、上シート部分は、内箱の引き出しに伴なってその内箱の内箱底部に向けて凸となる変形可能に設けられているので、内箱を引き出したときに内箱底部に向けて例えば凸の湾曲の状態で変形することで収納物移動規制部が内箱底部とで狭窄部分を形成する。そして、上シート部分の下に菓子などの収納物が存在すれば、その収納物を収納物移動規制部が内箱底部に押すように保持し、内箱奥部へ転がるのを止めるようになる。
【００１５】
また、収納物が少ない状態で内箱を引き出してその内箱前部側のみで収納物が出揃うような場合でも、変形した収納物移動規制部が内箱底部に近接したり接したりして収納物移動規制部と内箱底部とで狭窄部分を形成する。そして、内箱前部に位置している収納物が内箱奥部に向けて転がりかけても、収納物移動規制部に当接することになる。即ち、収納物移動規制手段が障害物となっており、収納物が内箱奥部に入り込むのを阻止する。よって、内箱を引き出して開いた取り出し口にある菓子などの収納物を容易に摘み取ることができるという効果を奏する。
【００１６】
（請求項２の発明の効果）
請求項２に係る発明によれば、内箱を引き出したときに内箱底部に向けて変形した収納物移動規制部の下に存在する収納物をより確実に保持するようになる。
【００１７】
（請求項３の発明の効果）
請求項３に係る発明によれば、収納した菓子の油脂分が内箱底部や外箱の天面板に移り込むのをシートにより防止でき、外箱の天面板の上面や内箱の内箱底部の下面に油脂分のシミを生じさせず、包装容器の外観を損なわないようにさせることができる。
【図面の簡単な説明】
【００１８】
【図１】本発明に係る包装容器の一例を示す説明図である。
【図２】一例を分離して示すもので、（ａ）は内箱を示す説明図、（ｂ）は外箱を示す説明図、（ｃ）はシートを示す説明図、（ｄ）は外箱を底面板側から見た状態で示す説明図である。
【図３】一例を内箱スライド方向に沿った断面で示す説明図である。
【図４】一例において収納物移動規制部が狭窄部にある収納物を保持している状態を断面で示す説明図である。
【図５】一例において収納物移動規制部に収納物が当接している状態を断面で示す説明図である。
【図６】一例における包装容器の製造過程を概略的に示すもので、（ａ）は内箱を示す説明図、（ｂ）は内箱を外箱ブランクに配置した状態を示す説明図である。
【図７】同じく包装容器の製造過程を概略的に示すもので、（ａ）はシートを配置した状態を示す説明図、（ｂ）は収納物を充填した状態を示す説明図、（ｃ）は製造された収納物充填済みの包装容器を示す説明図である。
【発明を実施するための形態】
【００１９】
つぎに本発明を図１から図７に示す実施の形態に基づいて詳細に説明する。図中１は包装容器で、図示されているように小形の玉形状に成形された多数個の菓子などを収納物Ａとして収納する紙製の容器であり、平置きした状態で略平板の形を呈するものである。包装容器１の容器本体２は、天面板３と底面板４と二面の側面板５、６とが胴部回りに連接されて胴部７の縦断面形状を矩形にして、胴部７の一方端である短寸側の面に出し入れ口８を有する紙製の外箱９と、前記出し入れ口８を通してスライド可能にして外箱９の内部に収納され、外箱９の天面板３に対応する上面を取り出し口１０として開放されるトレイ状にした紙製の内箱１１とからなるものである（図１、図２）。なお、この包装容器１における外箱９にあっては胴部７の他方端の面が内箱１１の抜け落ちが不能となるように閉じられており、この内箱１１は一方端の面、即ち、出し入れ口８のみを出入するものである。
【００２０】
上記容器本体２の内部には、容器本体２の内部に収納する収納物からの油脂分が内箱１１を通して外箱９の底面板に染み出したり、外箱９の天面板３から染み出したりして容器の外観を損なうことがないように、図３に示すように耐油性紙からなる柔軟性のあるシート１２が配置されている。内箱１１の内箱底部１１ａ上に前記シート１２の下シート部分１３が位置し、この下シート部分１３から出し入れ口８側の内箱前部１１ｂとは反対の内箱奥部１１ｃを経て内箱１１の前記上面（取り出し口１０）での出し入れ口８側までに上シート部分１４が位置する。さらに、内箱１１の内箱前部１１ｂおよび内箱側部１１ｄそれぞれの内面に沿わせて前記下シート部分１３から延長シート部分１５が立ち上げられている（図２参照）。
【００２１】
本発明の包装容器１では、収納物を取り出すときにシートをめくり上げなければならない手間や、収納物が内箱奥部側に移動して取り出し難くなる不都合を無くす工夫を備えていて、次にその点を説明する。シート１２の上記上シート部分１４の出し入れ口８側となる部分には図示されているようにこのシート材を延長して上シート部分１４の上に重なるように折り返された片からなる折り返し部１６が設けられている（図３、図４、図５）。
【００２２】
そして、上記折り返し部１６が外箱９の天面板３での出し入れ口８側の内面に接着手段１７により接着固定されており、これによってシート１２の上シート部分１４と外箱９の天面板３とが連結されている。このようにシート１２の上シート部分１４と外箱９の天面板３とを連結しているので、外箱９に収納されている内箱１１を引き出す方向にスライド操作を行なうと、上シート部分１４の出し入れ口８側である折り返し部１６が天面板３の出し入れ口８側に位置しながら、上シート部分１４の内箱奥部１１ｃ側の部分が内箱１１とともに引き出し方向に押し出されるように移動することなる。
【００２３】
上シート部分１４の折り返し部１６が天面板３の出し入れ口８側の内面に固定されるとともに、内箱奥部１１ｃ側の部分が引き出し方向に押し出されるため、上シート部分１４は出し入れ口８から曲がり出るような変形をしてこの上シート部分１４が自動的にめくり上げられる状態となる。上シート部分１４が自動的にめくり上げられるので、内箱１１の上面、即ち、取り出し口１０は内箱１１の引き出しに伴なって内箱前部１１ｂ側から開放され、その内箱前部１１ｂ側に位置する収納物Ａを取り出すことができる（図３）。
【００２４】
上記上シート部分１４が引き出し方向に押し出される際、上シート部分１４での内箱奥部１１ｃ側が上方に凸となるように曲がる可能性があるが、外箱９の天面板３自体が箱内での上シート部分盛り上がり規制部１８の役割を担っているため、この上シート部分１４が盛り上がりかけて外箱９の天面板３（上シート部分盛り上がり規制部）に当接しても大きな折れ曲がりの変形は生じない。その結果、上シート部分１４は出し入れ口８から曲がり出るような変形をしながら、かつ後述するように内箱底部１１ａ側に向けて凸となる曲がりの変形をするようになる。
【００２５】
本包装容器１に収納する多数個の収納物それぞれが大きさの小さい菓子や丸い形状の菓子であった場合、包装容器１の出し入れ口８がやや上になる傾いた容器の姿勢にすると、前記収納物それぞれが内箱奥部１１ｃ側に移動し易くなり、取り出し口１０の開いた内箱前部１１ｂ側の部分に収納物Ａが片寄った状態にならないことがある。そこで、上記上シート部分１４は、取り出し口１０の開放された部分にある収納物Ａが内箱奥部１１ｃ側に向けて移動するのを止めるための柔軟な収納物移動規制部１９を備えている。
【００２６】
上シート部分１４において上記収納物移動規制部１９は内箱１１の引き出しに伴なって内箱底部１１ａに向けて凸となる変形が可能となる部分であり、実施の形態では上シート部分１４全体が収納物移動規制部１９を形成している。そして、内箱１１の引き出しに伴なった収納物移動規制部１９の変形は、内箱１１の出し入れ方向に沿った断面形状が鋭角に折れ曲がった状態となるものではなく、内箱１１の出し入れ方向に沿った断面形状が孤状となる変形であり、内箱底部１１ａに向けて凸となる変形が生じる柔軟性を有するように設けられている。
【００２７】
収納物移動規制部１９での内箱底部１１ａに向けて凸となる変形は、収納物移動規制部１９が内箱底部１１ａに近接する変形であるため、この収納物移動規制部１９と内箱底部１１ａとの間を狭めて狭窄部分２０が形成され、その狭窄部分２０が収納物Ａの内箱スライド方向に沿った移動を規制する。
【００２８】
例えば図３は、取り出し口１０の内箱前部１１ｂ側から一個の収納物Ａを摘み取りできる程度に内箱１１を少し引き出した状態を示している。このように内箱１１を少し引き出した場合でも、上シート部分１４が出し入れ口8に向けて送り出されるとともに折り返し部１６が固定されているので、収納物移動規制部１９は内箱底部１１ａに向けて凸となる変形をする。そして、図示のように収納物移動規制部１９の下方に収納物Ａが存在している場合、この収納物Ａの上に乗って内箱底部１１ａに向けて押し付けて、これらの収納物Ａを保持する。
【００２９】
そのため、出し入れ口１０が上となる傾きの容器姿勢となっても、狭窄部分２０中の収納物Ａは内箱奥部１１ｃに移動せず、また、内箱前部１１ｂに位置した収納物Ａは内箱奥部１１ｃに向けて移動したとしても、変形して狭窄部分２０を形成している収納物移動規制部１９に当接し、この収納物移動規制部１９が障害物となって内箱奥部１１ｃ側に入り込む移動を規制する。そして、収納物Ａを取り出すときに無用に指先を内箱奥部側に深く差し入れる必要もなく、容器内を衛生的に保つことができる。
【００３０】
図５に示すように収納されている収納物Ａが少なくなり、この収納物Ａを内箱前部１１ｂに片寄らせた状態で内箱１１を引き出し、収納粒移動規制部１９の下方に収納物Ａが存在しないときにも、やはり収納物移動規制部１９が障害物となって内箱奥部１１ｃ側に入り込む移動を規制することとなる。この場合、収納物移動規制部１９は内箱底部１１ａに向けて凸となって大きく湾曲した形状で変形するようになり、内箱底部１１ａの上にある下シート部分１３に近接または接触した状態での狭窄部分２０を形成する。
【００３１】
なお、内箱１１を引き出したときに内箱底部１１ａ側に向けて凸となって湾曲した変形をする収納物移動規制部１９は、その内箱１１を外箱９内に戻したときに平板状に戻るようになる。この収納物移動規制部１９の平板状への復元、即ち、上シート部分１４の平板形状への復元をより確実にするために、内箱奥部１１ｃとシート１２の曲がり部分２１とが接着手段２２にて接着されているが、この内箱奥部１１ｃとシート１２の曲がり部分２１との接着は必ずしも必要とされるものではない。
【００３２】
上記シート１２の素材は耐油性紙であり、シート１２を耐油性紙から製造されたものとすることで、収納物Ａから油脂分が若干ながら出るような場合でもその油脂分が容器本体に移るのを抑えて、内箱底部１１ａを通して外箱９の底面板４の外表面に油脂分が滲み出たり、また外箱９の天面板３の外表面に油脂分が滲み出るのを防止する。
【００３３】
そして、シート１２は、平たく展開された状態において耐油性紙の平板状紙２３の片面に、内箱１１の出し入れ方向（内箱スライド方向）に山部２４ａと谷部２４ｂとが交互に並ぶ耐油性紙の波板状紙２４を貼り合わせた積層シートである。上述のように容器本体２の内部ではこのシート１２の平板状紙２３が収納物Ａと接する側となるようにして配置している。そのため、下シート部分１３では平板状紙２３が上側で、波板状紙２４が下側となり、上シート部分１４では平板状紙２３が下側で、波板状紙２４が上側となる。従って上述した上シート部分１４で構成されている上記収納物移動規制部１９では、平板状紙２３が下側で、波板状紙２４が上側となる。
【００３４】
また、上記波板状紙２４の山部２４ａそれぞれは、山部２４ａと谷部２４ｂとが並ぶ方向での開きが復元力を生じながら変化できる弾性変形が可能な部分であり、上述したように内箱１１を引き出して内箱底部１１ａ側に向けて凸となる変形をしたときの収納物移動規制部１９を平板形状に復元させる方向に抗力が生じる復元手段２５である。
【００３５】
このように収納物移動規制部１９は平板状紙２３の上面に波板状紙２４の山部２４ａである複数の復元手段２５を並べ設けている状態のものであることから、内箱１１を引き出したときの内箱底部１１ａに向けて凸となる変形は、上述したように鋭角に角立つ折れ曲がりをせずに、内箱出し入れ方向に沿った断面形状が孤状となる変形であるとともに、平板状態に戻ろうとする復元力も有した弾性的な変形であり、これにより収納物Ａを内箱底部１１ａ側に向けて押し付けて保持し、収納物Ａが内箱奥部１１ｃ側に移動するのを規制する働きが高められている。
【００３６】
（包装容器の製造）
この包装容器１の製造に際し、その製造過程の途中で収納物Ａを充填して行なうのが効率的であり、一例として図６と図７とにこの包装容器１の製造過程を示した。図示するように包装容器１を製造する場合、まず、図示していない内箱ブランクを組み起こして内箱１１が製造ラインに送り込まれる（図６（ａ））。そして、製造ライン上で、底面板側部から天面板側が折り起こされている外箱ブランク２６の底面板４の上に内箱１１を載置する（図６（ｂ））。
【００３７】
つぎに内箱１１に、シート１２の下シート部分１３を周囲の延長シート部分１５を折り起こした状態で配置し、シート１２の曲がり部分２１を上述のように内箱奥部１１ｃに貼り付けるとともに、上シート部分１４の折り返し部１６を、外箱ブランク形態での天面板３に貼り付ける（図７（ａ））。
【００３８】
そして、収納物Ａの充填を行ない（図７（ｂ））、その後、天面板３をこの天面板３が連接の側面板（短寸側の側面で出し入れ口と対向する位置にある側面板）２７側から折り倒し、天面板３、前記側面板２７、底面板４それぞれに連接の側面板構成片５ａ、６ａを折り合わせて接着することで、収納物充填済みの包装容器１が得られる。
【００３９】
図において符号２８は、内箱１１の内箱奥部１１ｃ側の中央に対応して、図２の（ｂ）と（ｄ）とに示すように外箱９の短寸側の側面板２７から底面板４にかけて開口した内箱押し出し用切り欠きである。そして、外箱９に内箱１１の全体が収納されているときには前記内箱押し出し用切り欠き２８に内箱１１の一部分が表出し、内箱１１を外箱９から引き出すときに前記内箱押し出し用切り欠き２８で表出している内箱１１の一部分に指先を当てて押し出すことで、この内箱１１の引き出しが頗る簡単になるようにしているものである。
【符号の説明】
【００４０】
１…包装容器
２…容器本体
３…天面板
４…底面板
８…出し入れ口
９…外箱
１０…取り出し口
１１…内箱
１１ａ…内箱底部
１１ｂ…内箱前部
１１ｃ…内箱奥部
１１ｄ…内箱側部
１２…シート
１３…下シート部分
１４…上シート部分
１６…折り返し部
１８…上シート部分盛り上がり規制部
１９…収納物移動規制部
２０…狭窄部分
２３…平板状紙
２４…波板状紙
２５…復元手段
２６…外箱ブランク
２８…内箱押し出し用切り欠き
Ａ…収納物
【図１】
2015151153.tif 000003
【図２】
2015151153.tif 000004
【図３】
2015151153.tif 000005
【図４】
2015151153.tif 000006
【図５】
2015151153.tif 000007
【図６】
2015151153.tif 000008
【図７】
2015151153.tif 000009